(57)【特許請求の範囲】
【請求項１】
引取りロ−ルから送出されるストランドを平刃形の固定刃とヘリカル刃形の回転刃とに
よりペレットに切断せしめるペレタイザ−において、上記固定刃は昇降手段を介して上下
に調整自在に立設され、他方、回転刃は該固定刃との間に所定のクリアランスをもって回
転自在に横設されると共に、該回転刃の両端には回転刃の半径と同径の調整部を有する両
側一対のクリアランス調整部材が回転刃と同軸に各々取付けられてなり、固定刃を昇降手
段により所要の高さに調整せしめると共に、固定刃の刃先を調整部の外周面に当てがいつ
つ回転刃との間を所定のクリアランスに調整保持せしめるべく構成されてなることを特徴
とする、ペレタイザ−。
【発明の詳細な説明】
【技術分野】
【０００１】
本発明は、ストランド状に形成せしめた樹脂材料をペレットに切断せしめるペレタイザ
−に関し、更に詳細には、固定刃に対してヘリカル刃状の回転刃を所定のクリアランスで
もって適正に調整保持せしめることが出来るペレタイザ−に関する。
【背景技術】
【０００２】
従来より、熱可塑性樹脂の多くは、一旦ペレット化されてから成型加工され、所要のプ
ラスチック成型品にされている。そして、熱可塑性樹脂をペレット化する方法の一つにス
トランドカット法が知られている。かかるストランドカット法は、重合した溶融樹脂を押
出し機または歯車ポンプを用いて多孔ダイスから押出し、ひも状に形成せしめたストラン
ドを凝固・冷却せしめたのち、ペレタイザ−でもってペレットに切断せしめるものである
。
【０００３】
そして、上記ペレタイザ−としては、一般に冷却せしめた複数のストランドを引取りロ
−ルでもって挟み込みつつストランド走行路に沿って連続的に送出し、その先端に所定の
クリアランスをもって配設された固定刃とヘリカル刃状回転刃とによりペレットに切断せ
しめるものとされている（特開平５−５０４２９号公報、特開平５−２２８９２２号公報
、特開２００３−７１８３２号公報参照）。
【先行技術文献】
【特許文献】
【０００４】
【特許文献１】特開平５−５０４２９号公報
【特許文献２】特開平５−２２８９２２号公報
【特許文献３】特開２００３−７１８３２号公報
【発明の概要】
【発明が解決しようとする課題】
【０００５】
ところで、上記従来のペレタイザ−は、所定のクリアランスをもって配設された固定刃
と回転刃とによりストランドをペレットに切断せしめるものとされているから、回転刃が
ヘリカル刃状、即ち、軸線方向に対して所要のヘリカル角度をもって斜め螺旋状に延びる
刃状に形成されていることとも相まって固定刃と回転刃との間のクリアランスを適正に保
持せしめることが非常に困難である。特に、摩耗などにより損傷した固定刃や回転刃を研
磨して再使用に供する場合においては、両者間のクリアランスを適正に調整することが非
常に困難であり、場合によってはクリアランスに狂いを生じて確実なる切断作業がしずら
いものとなっていた。   
【０００６】
本発明は従来例の課題を解決し、固定刃と回転刃との間のクリアランスを容易に、しか
も確実に調整保持せしめ、常にストランドの切断作業を確実に行なうことが出来る、ペレ
タイザ−を提供しようとするものである。
【課題を解決するための手段】
【０００７】
上記の目的を達成するため、本発明の請求項１記載の発明は、引取りロ−ルから送出さ
れるストランドを平刃形の固定刃とヘリカル刃形の回転刃とによりペレットに切断せしめ
るペレタイザ−において、上記固定刃は昇降手段を介して上下に調整自在に立設され、他
方、回転刃は該固定刃との間に所定のクリアランスをもって回転自在に横設されると共に
、該回転刃の両端には回転刃の半径と同径の調整部を有する両側一対のクリアランス調整
部材が回転刃と同軸に各々取付けられてなり、固定刃を昇降手段により所要の高さに調整
せしめると共に、固定刃の刃先を調整部の外周面に当てがいつつ回転刃との間を所定のク
リアランスに調整保持せしめるべく構成されてなることを特徴とする、ペレタイザ−を要
旨とするものである。
【発明の効果】
【０００８】
本発明の請求項１記載の発明は、上述のように構成されているから、固定刃を昇降手段
により所要の高さに調整せしめて両側のクリアランス調整部材の調整部外周面に当てがい
つつ、平刃形の固定刃とヘリカル刃形の回転刃との間のクリアランスを適正、且つ容易に
調整保持せしめることが出来るものであって、ひいては、固定刃に対して回転刃を適正な
クリアランスでもって回転せしめつつ切断作業を常に確実に行なうことが出来るものであ
る。そして、特に摩耗などにより損傷した回転刃を研磨せしめる場合には、同時に両側の
クリアランス調整部材の調整部を同径状に研削せしめ、再使用する回転刃と固定刃との間
のクリアランスを適正に調整保持せしめることが出来るものである。
【図面の簡単な説明】
【０００９】
【図１】本発明の一実施例を示す一部破断側面図である。
【図２】本発明の一実施例を示す一部破断平面図である。
【図３】実施例の固定刃６と回転刃１５を示す拡大斜視図である。
【図４】実施例の回転刃１５を示す横断面図である。
【図５】実施例の昇降手段９により固定刃６を上昇作動せしめた状態を示す一部拡大破断側面図である。
【図６】実施例のクリアランス調整部材１７の変形例を示す断面図である。
【発明を実施するための形態】
【００１０】
以下に、本発明を実施するための形態を図面に示す一実施例に基づいて詳細に説明する
。
【００１１】
図１〜図５は本発明の一実施例を示すもので、同図中、１は両側一対の略方形体状フレ
−ム、２はストランドを所定方向に走行せしめるべく該フレ−ム１上に配設されたストラ
ンド走行路、３はストランドを引取るべく該ストランド走行路３の途中に配設された上下
一対のロ−ルよりなる引取りロ−ルで、該引取りロ−ル３はプ−リ−４を介して別途配設
されたモ−タ（図示略）により所定方向に回転自在とされている。５は上記引取りロ−ル
３の前方に位置すべくストランド走行路２先部に配設された所要の幅と長さを有する刃物
台、６は該刃物台５に取付けボルト７を介して立設された所要の幅と長さを有する平刃形
の固定刃、８は該固定刃６の上方に配設されたストッパ−片で、固定刃６は該ストッパ−
片８を上死点として昇降手段９により上下に高さ調整自在とされている。そして、上記昇
降手段９は固定刃６の下端に形成された傾斜面部１０と、該傾斜面部１０に摺動自在に当
接せしめた傾斜面状の摺動面部１２を有する作動プレ−ト１１と、該作動プレ−ト１１を
進退作動せしめる引きボルト１３と押しボルト１４とより構成されている。
【００１２】
１５は所要のクリアランスをもって前記固定刃６の長手方向に沿って対向状に横設され
た半径Ｒ１のヘリカル刃付き回転刃、１６は該回転刃１５の回転軸、１７ａは該回転軸１
６を介して回転刃１５の両端に各々同軸に取付けられた円形状の軸孔１８付きクリアラン
ス調整部材、１９ａはクリアランス調整部材１７ａの外周部に一体形成された調整部で、
該調整部１９ａの半径Ｒ２は回転刃１５のそれと同径に形成されると共に、プ−リ−２０
を介して別途配設されたモ−タ（図示略）により同期等速回転するものとされている。２
１は上記回転刃１５をカバ−せしめるべくフレ−ム１間に開閉自在に取付けられたカバ−
体、２２は回転刃１５の下方に配設されたペレット用排出シュ−トである。
【００１３】
次に、上述の如く構成された実施例の作動について説明する。
先ず、引きボルト１３と押しボルト１４を適宜螺動せしめて作動プレ−ト１１を進退作
動せしめつつ、固定刃６を昇降せしめて調整し、ストッパ−片８を上死点として所要の高
さに設定せしめると共に、両側のクリアランス調整部材１７ａの調整部１９ａ外周面を各
々調整済固定刃６に当てがいつつ、固定刃６の刃先に対して調整部１９ａの外周面と回転
刃１５の刃先を一直線状に位置せしめ、固定刃６と回転刃１５との間を所定のクリアラン
スに調整保持せしめる。このさい、回転刃１５は軸線方向に対して所要のヘリカル角度で
もって斜め螺旋状に延びるヘリカル刃状を呈するも、両側のクリアランス調整部材１７ａ
の調整部１９ａでもって固定刃６に当てがいつつ、両者間のクリアランスを常に適正に、
かつ容易に調整保持せしめることが出来るものである。
【００１４】
固定刃６と回転刃１５の調整が完了すると、回転刃１５と共に引取りロ−ル３を各々所
定方向に回転せしめる。そして、ひも状に生成せしめた複数のストランドを挟み込みつつ
、ストランド走行路２に沿って図１に示す矢印方向へ連続的に送出せしめ、固定刃６と回
転する回転刃１５とによりペレットに切断せしめたのち、排出シュ−ト２２を介して外部
に排出せしめる。このさい、固定刃６と回転刃１５との間のクリアランスは常時適正に調
整保持せしめられているから、ストランドの切断作業を常に確実に行なうことが出来るも
のである。
【００１５】
そして、ストランドの切断作動により固定刃６や回転刃１５が摩耗などして損傷した場
合には、所要の研磨機でもって研磨し、再使用に供する。このさい、例えば固定刃６を研
磨せしめた場合には、図５に示すように押しボルト１４を螺動せしめつつ作動プレ−ト１
１を固定刃６方向に進出せしめ、固定刃６を上昇作動せしめて所定の高さに調整せしめる
。また、回転刃１５を研磨せしめた場合には、回転刃１５の研磨と同時に両側のクリアラ
ンス調整部材１７ａの調整部１９ａ外周面を同径状に研磨せしめ、調整部１９ａの外周面
とヘリカル刃形回転刃１５の刃先とを一直線上に設定せしめることにより固定刃６と回転
刃１５との間のクリアランスを適正に調整保持せしめる。
【００１６】
なお、上記実施例において、固定刃６は作動プレ−ト１１を引きボルト１３と押しボル
ト１４とにより進退せしめつつ、固定刃６を適宜昇降せしめて高さ調整するものとされて
いるが、これに限定されるものではなく、他の公知の昇降手段を採択使用することが出来
るものである。
また、クリアランス調整部材１７ａは外周に回転刃１５の半径Ｒ1と同径の半径Ｒ2を有
する調整部１９ａが一体形成されているが、これに限定されるものではなく、例えば、図
６に示すように、外周に半径Ｒ３とされた略半円形状の調整部１９ｂを有するクリアラン
ス調整部材１７ｂ（図６Ａ参照）、外周に半径Ｒ４とされた略円弧状の調整部１９ｃを有
するクリアランス調整部材１７ｃ（図６Ｂ参照）、外周に半径Ｒ５とされた略三角形状の
調整部１９ｄを有するクリアランス調整部材１７ｄ（図６Ｃ参照）、外周に半径Ｒ６とさ
れた略半円弧状の調整部１９ｅを有するクリアランス調整部材１７ｅ（図６Ｄ参照）、外
周に半径Ｒ７とされた略歯車状の調整部１９ｆを有するクリアランス調整部材１７ｆ（図
６Ｅ参照）などを採択使用することが出来るものである。なお、上記各調整部１９ｂ・１
９ｃ・１９ｄ・１９ｅ・１９ｆの半径Ｒ３・Ｒ４・Ｒ５・Ｒ６・Ｒ７は、回転刃１５の半径Ｒ１と同径である。
【符号の説明】
【００１７】
３  引取りロ−ル
６  固定刃
８  ストッパ−片
９  昇降手段
１０  傾斜面部
１１  作動プレ−ト
１２  摺動面部
１３  引きボルト
１４  押しボルト
１５  回転刃
１７ａ・１７ｂ・１７ｃ・１７ｄ・１７ｅ・１７ｆ  クリアランス調整部材
１９ａ・１９ｂ・１９ｃ・１９ｄ・１９ｅ・１９ｆ  調整部
【図１】
0005336548.tif 000002
【図２】
0005336548.tif 000003
【図３】
0005336548.tif 000004
【図４】
0005336548.tif 000005
【図５】
0005336548.tif 000006
【図６】
0005336548.tif 000007